【手続補正書】
【提出日】平成17年8月5日(2005.8.5)
【手続補正１】
【補正対象書類名】明細書
【補正対象項目名】特許請求の範囲
【補正方法】変更
【補正の内容】
【特許請求の範囲】
【請求項１】  コンデンサ充電回路を用いて所定の出力電圧レベルまで出力コンデンサを充電する方法であって、
該出力コンデンサに電力を供給することと、
該出力電圧レベルが該所定の出力電圧レベル以上である場合、該出力コンデンサへの電力供給および出力電圧測定を終了することと、
該終了から時間間隔をおいて電力供給を再開することと、
該電力供給の再開に基づいて該出力電圧レベルを決定することとを包含し、
該決定することは、該出力電圧レベルを測定した回路を一時的に駆動させることをさらに包含する、方法。
【請求項２】  呼び出しタイマおよび制御ラッチを用いて前記時間間隔を設定することをさらに包含する、請求項１に記載の方法。
【請求項３】  前記終了することは前記呼び出しタイマをイネーブルすることを包含する、請求項２に記載の方法。
【請求項４】  前記時間間隔を変更することをさらに包含し、前記出力電圧レベルが一定の値を下回る、請求項１に記載の方法。
【請求項５】  前記出力電圧レベルが前記所定の出力電圧レベルを上回ると、前記決定することが決定する場合、前記時間間隔を徐々に増加させることをさらに包含する、請求項４に記載の方法。
【請求項６】  前記出力コンデンサに電力を供給することは、前記出力コンデンサレベルが前記所定の出力コンデンサレベルと実質的に等しくなるまで前記出力電圧レベルを充電することをさらに包含する、請求項１に記載の方法。
【請求項７】  前記出力コンデンサに電力を供給することは、
変圧器の一次巻線に電流を提供することと、
該変圧器の二次巻線を用いて、該変圧器からの電力を該出力コンデンサに供給することとを包含する、請求項１に記載の方法。
【請求項８】  前記出力コンデンサに電力を供給することは、
一次巻線の電流レベルを用いて、電力供給切換えサイクルのＯＮ時間部分を決定することと、
二次巻線の電流レベルを用いて、該電力供給切換えサイクルのＯＦＦ時間部分を決定することと、
該ＯＮ時間部分と該ＯＦＦ時間部分とをサイクルさせ、前記出力電圧レベルを充電することとをさらに包含する、請求項７に記載の方法。
【請求項９】  前記出力コンデンサに電力を供給することは、
一次巻線の電流レベルが電力供給切換えサイクルの各ＯＮ時間部分の間に等価ピーク一次電流レベルまで増加するように、該電力供給切換えサイクルのＯＮ時間部分を適合させることを包含する、請求項７に記載の方法。
【請求項１０】  前記出力コンデンサに電力を供給することは、
二次の電流レベルが電力供給切換えサイクルの各ＯＦＦ時間部分の間の最小の二次巻線の電流レベルまで低下するように、該電力供給切換えサイクルのＯＦＦ時間部分を適合させることを包含する、請求項７に記載の方法。
【請求項１１】  前記時間間隔は所定の時間間隔である、請求項１に記載の方法。
【請求項１２】  前記時間間隔は適合可能な時間間隔である、請求項１に記載の方法。
【請求項１３】  最小の電力消費で所定の出力電圧レベルを維持するコンデンサ充電回路であって、
該コンデンサ充電回路の出力に電力を供給する電力供給回路と、
該コンデンサ充電回路の出力電圧レベルを測定する測定回路と、
該測定回路に結合された制御回路とを備え、
該測定回路が該出力電圧レベルは所定の値以上であると決定した場合、該制御回路は、該電力供給回路と該測定回路とをディスエーブルし、該電力供給回路および該測定回路がディスエーブルされた場合、該電力供給回路および該測定回路を定期的にイネーブルして、該出力電圧レベルが該所定の値以上であるか否かを決定する、コンデンサ充電回路。
【請求項１４】  前記制御回路は、前記電力供給回路および前記測定回路を定期的にイネーブルする呼び出しタイマを備える、請求項１３に記載のコンデンサ充電回路。
【請求項１５】  前記電力供給回路は変圧器を備え、該変圧器は、一次巻線および二次巻線を備える、請求項１３に記載のコンデンサ充電回路。
【請求項１６】  前記測定回路は、前記一次巻線にかかる電圧に基づいて出力電圧レベルを決定する、請求項１５に記載のコンデンサ充電回路。
【請求項１７】  前記電力供給回路中の切換えサイクルのＯＮ時間部分を設定する適応ＯＮ時間回路と、該切換えサイクルのＯＦＦ時間部分を設定する適応ＯＦＦ時間回路とをさらに備える、請求項１５に記載のコンデンサ充電回路。
【請求項１８】  前記適応ＯＮ時間回路は、前記一次巻線を通る電流に基づいてＯＮ時間部分を設定し、前記適応ＯＦＦ時間回路は、前記二次巻線を通る電流に基づいてＯＦＦ時間部分を設定する、請求項１７に記載のコンデンサ充電回路。
【請求項１９】  前記適応ＯＮ時間回路は、第１の可変時間間隔に対して電力供給切換えサイクルの前記ＯＮ時間部分を設定し、該第１の可変時間間隔は、前記一次巻線のインダクタンスと、供給電圧と、ピーク一次巻線電流レベルとに少なくとも部分的に基づき、該供給電圧は該一次巻線に結合される、請求項１７に記載のコンデンサ充電回路。
【請求項２０】  前記適応ＯＦＦ時間回路は、第２の可変時間間隔に対して電力供給切換えサイクルの前記ＯＦＦ時間部分を設定し、該第２の可変時間間隔は、前記二次巻線のインダクタンスと、前記出力電圧と、二次巻線の電流レベルとに少なくとも部分的に基づく、請求項１７に記載のコンデンサ充電回路。
【請求項２１】  前記制御回路は、前記出力電圧レベルが前記所定の値以上の場合、前記呼び出しタイマをイネーブルする制御ラッチをさらに備える、請求項１４に記載のコンデンサ充電回路。
【請求項２２】  前記制御回路は、前記呼び出しタイマが時間切れになった場合、前記電力供給回路および前記測定回路をイネーブルするバイアス回路をさらに備える、請求項１４に記載のコンデンサ充電回路。
【請求項２３】  切換えサイクルのＯＮ時間部分の間に前記一次巻線中の電流と一定の電流とを比較し、該一次巻線中の電流が該一定の電流以上になった場合、該切換えサイクルの該ＯＮ時間部分を終了する単一電流比較器をさらに備える、請求項１５に記載のコンデンサ充電回路。
【請求項２４】  切換えサイクルのＯＦＦ時間部分の間に前記二次巻線中の電流と一定の電流とを比較し、該二次巻線中の電流が該一定の電流以下になった場合、該切換えサイクルの該ＯＦＦ時間部分を終了する単一電流比較器をさらに備える、請求項１５に記載のコンデンサ充電回路。
【請求項２５】  単一電流比較器回路を用いて、スイッチのＯＮ時間部分およびＯＦＦ時間部分を制御する方法であって、
該単一電流比較器回路を用いて、変圧器中の一次巻線の電流レベルと第１の基準電流レベルとを比較して該ＯＮ時間部分を制御することと、
該単一電流比較器回路を用いて、該変圧器中の二次巻線の電流レベルと第２の基準電流レベルとを比較して該ＯＦＦ時間部分を制御することと
を包含する、方法。
【請求項２６】  前記スイッチのＯＮ時間部分とＯＦＦ時間部分とをサイクルさせることをさらに包含し、該サイクルさせることは、（１）前記一次巻線の電流レベルと前記第１の基準電流レベルとを比較することと、（２）前記二次巻線の電流レベルと前記第２の基準電流レベルとを比較することとに基づく、請求項２５に記載の方法。
【請求項２７】  前記サイクルが前記ＯＮ時間部分から前記ＯＦＦ時間部分に切り換わることができるように、前記一次巻線の電流レベルを比較することは、該一次巻線の電流レベルが前記第１の基準電流レベルを上回る時期を決定することを包含する、請求項２５に記載の方法。
【請求項２８】  前記サイクルが前記ＯＦＦ時間部分から前記ＯＮ時間部分に切り換わることができるように、前記二次巻線の電流レベルを比較することは、該二次巻線の電流レベルが前記第２の基準電流レベルを下回る時期を決定することを包含する、請求項２５に記載の方法。
【請求項２９】  前記サイクルを支援するために正フィードバック電流を提供することをさらに包含する、請求項２５に記載の方法。
【請求項３０】  前記電流比較器回路を用いて出力コンデンサ負荷を充電して、該出力コンデンサ負荷への電力供給を制御することをさらに包含する、請求項２５に記載の方法。
【請求項３１】  スイッチのＯＮ時間部分およびＯＦＦ時間部分を制御する電流比較器回路であって、
第１の基準電流レベルを提供する少なくとも１つの第１の電流ソースと、
第２の基準電流レベルを提供する少なくとも１つの第２の電流ソースと、
一次巻線の電流レベルを提供する一次巻線および二次巻線の電流レベルを提供する二次巻線を有する変圧器と、
該第１の基準電流レベルと該一次巻線の電流レベルとを比較し、かつ、該第２の基準電流レベルと該二次巻線の電流レベルとを比較して、該ＯＮ時間部分および該ＯＦＦ時間部分を制御して、容量性負荷を充電する単一電流比較器回路と
を備える、電流比較器回路。
【請求項３２】  前記回路が前記スイッチを前記ＯＮ時間から前記ＯＦＦ時間へサイクルさせることができるように、該回路は、前記一次巻線の電流レベルが前記第１の基準電流レベルを上回る時期を決定して、回路を備える、請求項３１に記載の電流比較器回路。
【請求項３３】  前記回路が前記スイッチを前記ＯＦＦ時間から前記ＯＮ時間へサイクルさせることができるように、該回路は、該二次巻線の電流レベルが前記第２の基準電流レベルを下回る時期を決定する回路を備える、請求項３１に記載の電流比較器回路。
【請求項３４】  少なくとも第３の電流ソースに結合されたフィードバック回路をさらに備え、前記スイッチが前記ＯＮ時間部分と前記ＯＦＦ時間部分とをサイクルさせる場合、該フィードバック回路は、該第３の電流ソースからの電流を方向付けて、前記電流比較器回路を支援する、請求項３１に記載の電流比較器回路。
【請求項３５】  前記スイッチが前記ＯＦＦ時間部分と前記ＯＮ時間部分とをサイクルさせる場合、前記フィードバック回路は、前記第３の基準電流ソースからの電流を方向付けて、前記電流比較器回路を支援する、請求項３４に記載の電流比較器回路。
【請求項３６】  前記スイッチに結合されたワンショット回路をさらに備え、該ワンショット回路は、所定の時間の間、前記ＯＦＦ時間部分を維持する、請求項３１に記載の電流比較器回路。
【請求項３７】  前記電流比較器回路は単一電流比較器を備える、請求項３１に記載の電流比較器回路。
【請求項３８】  測定回路を用いて、最小のワット損で出力電圧レベルのモニタリングを行う方法であって、
電力供給サイクルのＯＦＦ時間部分の間に変圧器の一次巻線の一次電圧レベルを接地基準電圧レベルに変換することと、
該接地基準電圧レベルと基準電圧レベルとを比較して、該出力電圧レベルが所定の電圧レベル以上であるか否かを決定することと、
該出力電圧レベルが該所定の電圧レベル以上である場合、出力信号を生成することと、
該電力供給サイクルの各ＯＦＦ時間部分の始めの所定の期間、該出力信号を遅延させることと
を包含する、方法。
【請求項３９】  最小のワット損で出力電圧レベルの測定を行う測定回路であって、
変圧器の一次巻線に結合された変換器回路であって、一次巻線電圧レベルを接地基準電圧レベルに変換する変換器回路と、
該変換器回路に結合された電圧比較器回路であって、該接地基準電圧レベルと該基準電圧レベルとを比較して、該出力電圧レベルが所定の電圧レベル以上であるか否かを決定する、電圧比較器回路と、
該比較器回路に結合されたワンショット回路と
を備え、
該ワンショット回路は、電力供給サイクルの各ＯＦＦ時間部分の始めの所定の期間、比較器回路出力信号をディスエーブルする、測定回路。
【請求項４０】  コンデンサ充電回路を用いて所定の出力電圧レベルまで出力コンデンサを充電する方法であって、
該出力コンデンサに電力を供給することと、
該出力電圧レベルが該所定の出力電圧レベル以上である場合、出力電圧測定を終了することと、
該終了から所定の時間間隔をおいて、該出力電圧レベルを測定する回路を一時的に再駆動させることと
を包含する、方法。